(57)【要約】【課題】いずれかの表示部が故障した場合、故障した表示部に表示されるべき画像を他の表示部に表示する画像表示装置を提供する。【解決手段】本発明に係る携帯電話１００は、表示装置２００ａ、２００ｂ、主制御部８３０および異常検知部９００を備えている。主制御部８３０は、表示装置２００ａに対する画像の表示ができなくなったことを示す異常検知信号を異常検知部９００から受け付けると、画像の表示モードを通常表示モードから異常表示モードに切り替える。すなわち、主制御部８３０は、表示装置２００ａに表示すべき画像を表わす画像データを、表示装置２００ｂに対して出力するように画像表示処理を実行する。【選択図】図１
2010230909.tif 000002
【特許請求の範囲】
【請求項１】
入力された画像データにより表わされる画像を表示する表示部を複数備えた画像表示装置であって、
上記表示部のうちのいずれかの表示部に画像の表示ができなくなったとき、画像の表示ができなくなった表示部に対して出力すべき画像データを、他の表示部に対して出力する画像データ出力手段を備えていることを特徴とする画像表示装置。
【請求項２】
上記表示部のいずれかの表示部において画像が表示できないことを検知し、当該表示部において画像が表示できないことを示す異常検知信号を上記画像データ出力手段に対して出力する異常検知手段をさらに備えており、
上記画像データ出力手段は、上記異常検知手段から出力される異常検知信号を受け付けたとき、上記異常検知信号の示す表示部に対して出力すべき画像データの出力先を、他の表示部に変更することを特徴とする請求項１に記載の画像表示装置。
【請求項３】
上記画像データ出力手段は、画像の表示ができなくなった表示部に対して出力すべき第１の画像データと、他の表示部に対して出力する第２の画像データとを合成し、合成した画像データを当該他の表示部に対して出力することを特徴とする請求項１または２に記載の画像表示装置。
【請求項４】
上記画像データ出力手段は、第１の表示部に対して画像データを出力する第１の画像データ出力手段と、第２の表示部に対して画像データを出力する第２の画像データ出力手段とを含み、
上記第２の画像データ出力手段は、上記第１の表示部に画像の表示ができなくなったとき、上記第１の表示部に対して出力すべき第１の画像データと、上記第２の表示部に対して出力する第２の画像データとを合成し、合成した画像データを当該第２の表示部に対して出力することを特徴とする請求項１または２に記載の画像表示装置。
【請求項５】
入力された画像データにより表わされる画像を表示する表示部を複数備えた画像表示装置における画像表示制御方法であって、
上記複数の表示部のうちのいずれかの表示部に画像の表示ができなくなったとき、画像の表示ができなくなった表示部に対して出力すべき画像データを、他の表示部に対して出力する画像データ出力ステップを含むことを特徴とする画像表示制御方法。
【発明の詳細な説明】
【技術分野】
【０００１】
本発明は、複数の表示部を備えた画像表示装置および当該画像表示装置における画像表示制御方法に関するものである。
【背景技術】
【０００２】
近年、携帯電話および携帯型ゲーム機などの携帯型情報端末をはじめとする端末装置において、画像を表示する表示部を複数有するような機器が増加している。
【０００３】
これらの機器における表示部は、画像を表示する機能に加えて、ユーザーが指などでポインティング（タッチ）した位置を検出することが可能な、いわゆるタッチパネル機能を有していることも多い。タッチパネル機能を搭載した機器では、ユーザーは自身の直感的な操作により、機器を操作することができる。
【０００４】
複数の表示部を備えた機器であって、少なくともいずれかの表示部がタッチパネル機能を有しているような装置としては、例えば特許文献１に記載の装置などを挙げることができる。特許文献１に記載の装置は、蓋体側表示部を本体側表示部の上に重合させた場合に、本体側表示部に表示されていた画像を蓋体側表示部に表示する機能も有している。
【先行技術文献】
【特許文献】
【０００５】
【特許文献１】特開平９−３０５２６２号公報（平成９年１１月２８日公開）
【発明の概要】
【発明が解決しようとする課題】
【０００６】
上述したように、複数の表示部を備えた機器は、携帯電話、携帯型ゲーム機などの多様な用途に利用することができるが、複数の表示部を備えているが故の問題もある。
【０００７】
例えば、表示部を２つ備えた機器の一方の表示部が故障してしまった場合、ユーザーは故障した表示部に表示されるべき画像を確認することができなくなってしまう。その場合、もう一方の表示部は使用することができるにも関わらず、機器が使用不能となってしまうことになる。
【０００８】
一方の表示部が故障していると、当然のことながら通常通りに機器を操作することが困難となる。そのため、場合によっては、一方の表示部の故障により、機器に記録されているデータを取り出すことができなくなってしまうことも十分に有り得る。
【０００９】
また、故障した表示部に表示される画像を外部機器に出力することにより表示させる対応をとった場合であっても、外部機器の準備などが必要であり、故障した場所で即時に対応することは非常に困難である。
【００１０】
このような問題は、持ち運ぶことができるがゆえに事故による表示部損傷が多いものの、搭載されているインターフェースの種類が限られている携帯電話などの携帯型情報端末において特に顕著である。
【００１１】
本発明は、上記の問題に鑑みてなされたものであり、その主たる目的は、複数の表示部を備えた機器において、いずれかの表示部が故障した場合、故障した表示部に表示されるべき画像を他の表示部において表示可能とする画像表示装置を提供することである。
【課題を解決するための手段】
【００１２】
本発明に係る画像表示装置は、上記課題を解決するために、
入力された画像データにより表わされる画像を表示する表示部を複数備えた画像表示装置であって、上記表示部のうちのいずれかの表示部に画像の表示ができなくなったとき、画像の表示ができなくなった表示部に対して出力すべき画像データを、他の表示部に対して出力する画像データ出力手段を備えていることを特徴としている。
【００１３】
本発明に係る画像表示装置では、複数の表示部のうちのいずれかの表示部に画像の表示ができなくなったとき、画像の表示ができなくなった表示部に対して出力すべき画像データを他の表示部に対して出力するように画像表示処理が実行される。
【００１４】
そのため、本発明に係る画像表示装置では、ユーザーは、画像を表示できなくなった表示部に表示される画像を他の表示部において確認することができる。これによって、ユーザーが表示されている画像を確認することができなくなることにより、画像表示装置の使用に支障が生じる可能性を低減することができる効果を奏する。
【００１５】
例えば、２つの表示部を備えた画像表示装置において、表示部に画像が表示できなくなる可能性が１％であるとすると、従来の画像表示装置では、１％の確率で画像表示装置の使用に支障が生じていた。対して、本発明に係る画像表示装置では、表示部が２つとも画像を表示できなくならない限り画像表示装置の使用に支障が生じることがないため、本発明に係る画像表示装置において使用に支障が生じる可能性は０．０１％となる。このように、本発明に係る画像表示装置において使用に支障が生じる可能性は、従来の装置と比べてはるかに低い。
【００１６】
また、本発明に係る画像表示装置では、画像データを外部機器に対して出力させて当該画像データの表す画像を外部機器において確認しなければならないという煩雑な操作をユーザーに強いることも不要にすることができる効果も併せて奏する。
【００１７】
本発明に係る画像表示装置では、さらに、上記表示部のいずれかの表示部において画像が表示できないことを検知し、当該表示部において画像が表示できないことを示す異常検知信号を上記画像データ出力手段に対して出力する異常検知手段をさらに備えており、上記画像データ出力手段は、上記異常検知手段から出力される異常検知信号を受け付けたとき、上記異常検知信号の示す表示部に対して出力すべき画像データの出力先を、他の表示部に変更することが好ましい。
【００１８】
上記の構成によれば、画像データ出力手段は、表示部のいずれかにおいて画像が表示できないことを検知した異常検知手段から出力される異常検知信号を受け付けることにより、画像データの出力先となる表示部を異常検知信号の示す表示部から他の表示部に切り替える。
【００１９】
したがって、本発明に係る画像表示装置では、いずれかの表示部に画像が表示できなくなった場合であっても、ユーザーに対して特別な操作を強いることなく、表示できなくなった画像を他の表示部に表示させることができる効果を奏する。
【００２０】
本発明に係る画像表示装置では、さらに、上記画像データ出力手段は、画像の表示ができなくなった表示部に対して出力すべき第１の画像データと、他の表示部に対して出力する第２の画像データとを合成し、合成した画像データを当該他の表示部に対して出力することが好ましい。
【００２１】
上記の構成によれば、第１の画像データにより表される画像と第２の画像データにより表される画像とを、同時に他の表示部に表示させることができる。
【００２２】
これによって、いずれかの表示部に画像の表示ができなくなる前と同様に画像表示装置を使用することができる効果を奏する。
【００２３】
本発明に係る画像表示装置では、さらに、上記画像データ出力手段は、第１の表示部に対して画像データを出力する第１の画像データ出力手段と、第２の表示部に対して画像データを出力する第２の画像データ出力手段とを含み、上記第２の画像データ出力手段は、上記第１の表示部に画像の表示ができなくなったとき、上記第１の表示部に対して出力すべき第１の画像データと、上記第２の表示部に対して出力する第２の画像データとを合成し、合成した画像データを当該第２の表示部に対して出力することが好ましい。
【００２４】
上記構成によれば、第１の表示部に画像の表示ができなくなった場合には、第１の表示部に対して出力すべき第１の画像データを第２の画像データ出力手段を用いて第２の表示部に対して出力する。
【００２５】
したがって、第１の画像データ出力手段に不具合が生じることにより第１の表示部に画像の表示ができなくなった場合であっても、ユーザーは、第２の表示部において第１の表示部に表示される画像を確認することができる。これによって、第１の画像データ出力手段に不具合が生じた場合であっても、画像表示装置の使用に支障が生じる可能性をより一層低減することができる効果を奏する。
【００２６】
本発明に係る画像表示制御方法は、上記課題を解決するために、
入力された画像データにより表わされる画像を表示する表示部を複数備えた画像表示装置における画像表示制御方法であって、上記複数の表示部のうちのいずれかの表示部に画像の表示ができなくなったとき、画像の表示ができなくなった表示部に対して出力すべき画像データを、他の表示部に対して出力する画像データ出力ステップを含むことを特徴としている。
【００２７】
上記構成によれば、本発明に係る画像表示装置と同様の作用効果を奏する。
【発明の効果】
【００２８】
以上説明したように、本発明に係る画像表示装置は、当該画像表示装置に備えられた複数の表示部のうちのいずれかの表示部に画像の表示ができなくなったとき、画像の表示ができなくなった表示部に対して出力すべき画像データを他の表示部に対して出力する画像データ出力手段を備えている。
【００２９】
これによって、ユーザーが表示されている画像を確認することができなくなることにより、画像表示装置の使用に支障が生じる可能性を低減することができる効果を奏する。
【００３０】
また、画像データを外部機器に対して出力させて当該画像データの表す画像を外部機器において確認しなければならないという煩雑な操作をユーザーに強いることも不要にすることができる効果も併せて奏する。
【図面の簡単な説明】
【００３１】
【図１】本実施形態に係る携帯電話の要部構成を示すブロック図である。
【図２】本実施形態に係る携帯電話における画像の表示例を示す図であり、（ａ）は通常表示モードでの画像表示例であり、（ｂ）は異常表示モードでの画像表示例であり、（ｃ）は異常表示モードでの別の画像表示例である。
【図３】本実施形態に係る携帯電話の変形例の要部構成を示すブロック図である。
【図４】センサ内蔵液晶パネルの構成および周辺回路の構成を示すブロック図である。
【図５】センサ内蔵液晶パネルの断面を模式的に示す図である。
【図６】センサ内蔵液晶パネル上をタッチした位置を検出する検出方法を模式的に示す図であり、（ａ）は反射像を検知することにより、ユーザーがタッチした位置を検出する様子を示す模式図であり、（ｂ）は影像を検知することにより、ユーザーがタッチした位置を検出する様子を示す模式図である。
【図７】本発明に係るデータ表示／センサ装置の構成を示すブロック図である。
【発明を実施するための形態】
【００３２】
本発明に係る画像表示装置の一実施形態について、図１〜図７を参照しつつ以下に説明する。なお、本実施形態では、２つの画面（表示部）を備えた画像表示装置を例に挙げて説明するが、もちろん画面の数は２つに限定されるものではなく、３つ以上であってもよい。また、本実施形態では、画像表示装置が携帯電話である場合を例に挙げて説明するが、複数の画面を備えた画像表示装置であれば携帯電話に限定されるものではない。画像表示装置としては、携帯電話以外に、携帯型ゲーム機、携帯型音楽プレイヤ、ＰＤＡ（Personal Digital Assistance）、モバイルコンピュータなどを挙げることができる。
【００３３】
なお、携帯電話１００の形態としては、上部筐体の一部と下部筐体の一部とが互いに連結することにより構成されている連結部をヒンジ部として折り畳み可能な折り畳み式であってもよいし、上部筐体（または下部筐体）をスライドさせることが可能なスライド式の形態であってもよい。
【００３４】
（携帯電話１００の構成）
本実施形態に係る携帯電話（画像表示装置）の構成について、図１を参照しつつ説明する。図１は、携帯電話１００の要部構成を示すブロック図である。なお、図１では、通話機能を実現するためのブロックなどの従来の携帯電話が備えているブロックについての図示は省略している。
【００３５】
図１に示すように、携帯電話１００は、表示装置２００ａ、表示装置２００ｂ、主制御部８３０、異常検知部９００、記憶部９１１および一次記憶部９１２を備えている。これらの各部材について以下に説明する。
【００３６】
（表示装置２００ａ、表示装置２００ｂ）
表示装置２００ａは、画像を表示する装置である。表示装置２００ａとしては、例えば、液晶ディスプレイを挙げることができる。表示装置２００ａは、表示／光センサ部３３０、回路制御部６３０、およびデータ処理部７３０を備えている。表示装置２００ａに備えられている各部について以下に説明する。
【００３７】
なお、本実施形態では、表示装置２００ａについてのみ内部構成を詳細に説明するが、表示装置２００ｂも表示装置２００ａと同様である。すなわち。表示装置２００ｂにも表示装置２００ａと同様に、表示／光センサ部３３０、回路制御部６３０およびデータ処理部７３０が備えられている。
【００３８】
（表示／光センサ部３３０）
表示／光センサ部３３０は、センサ内蔵液晶パネル３０１、バックライト３０７、それらを駆動するための周辺回路３０９を含んで構成される（これらの部材については、図４を参照）。表示／光センサ部３３０の詳細な構成については下記にて説明するため、ここでは説明を省略する。
【００３９】
（回路制御部６３０）
回路制御部６３０は、表示／光センサ部３３０の周辺回路３０９を制御するデバイスドライバとしての機能を備えるものである。回路制御部６３０の詳細な構成については下記にて説明するため、ここでは説明を省略する。
【００４０】
（データ処理部７３０）
データ処理部７３０は、主制御部８３０から受信するコマンドに基づいて、回路制御部６３０に指示を与えるミドルウェアとしての機能を備えるものである。データ処理部７３０の詳細な構成については下記にて説明するため、ここでは説明を省略する。
【００４１】
（主制御部８３０）
主制御部８３０は、アプリケーションプログラムを実行するものである。主制御部８３０は、記憶部９１１に格納されているプログラムを、例えばＲＡＭ（Random Access Memory）などで構成される一次記憶部９１２に読み出して実行する。
【００４２】
主制御部８３０で実行されるアプリケーションプログラムは、センサ内蔵液晶パネル３０１に表示データを表示させたり、センサ内蔵液晶パネル３０１にて対象物のスキャンを行わせるために、データ処理部７３０に対して、コマンドおよび表示データを送信する。また、コマンドに「データ種別」を指定した場合は、当該コマンドの応答として、全体画像データ、部分画像データ、および座標データの少なくともいずれか１つを、データ処理部７３０から受信する。
【００４３】
また、主制御部８３０は、異常検知部９００から出力される異常検知信号の入力をトリガとして、画像表示制御を通常表示モードから異常表示モードへと切り替える。主制御部８３０における表示モードの切り替えについては下記に詳述する。
【００４４】
なお、回路制御部６３０、データ処理部７３０、および主制御部８３０は、それぞれ、ＣＰＵ（Central Processing Unit）およびメモリなどで構成することができる。また、データ処理部７３０は、ＡＳＩＣ（application specific integrate circuit）などの回路で構成されていてもよい。
【００４５】
（異常検知部９００）
異常検知部９００は、表示装置２００ａまたは表示装置２００ｂにおいて生じた異常を検知すると、異常検知信号を主制御部８３０に対して出力する。異常検知部９００における異常を検知するための手法については下記に詳述する。
【００４６】
（記憶部９１１）
記憶部９１１は、主制御部８３０が実行する各部の制御プログラム、アプリケーションプログラムおよびこれらプログラムを実行するときに読み出す各種データを記録するものである。記憶部９１１は、フラッシュメモリなどの不揮発性の記憶装置によって構成される。
【００４７】
（一次記憶部９１２）
一次記憶部９１２は、ＲＡＭ（Random Access Memory）などの揮発性の記憶装置によって構成されるものであり、主制御部８３０が上述の各種プログラムを実行する過程でデータを一時的に保持するための作業領域として使用される。
【００４８】
（異常検知部９００における異常検知の詳細）
次に、異常検知部９００において異常を検知する手法の詳細について説明する。ここで、異常検知部９００における異常の検知とは、異常検知部９００が表示装置の表示パネル（センサ内蔵液晶パネル３０１）に画像を表示することができない状態であると判定することを意味している。すなわち、本実施形態では、異常検知部９００から異常検知信号が主制御部８３０に対して出力されることは、表示装置２００ａおよび２００ｂのいずれかが画像の表示をできなくなったことと同義である。
【００４９】
異常検知部９００は、例えば、表示／光センサ部３３０、回路制御部６３０およびデータ処理部７３０における回路の異常を検知することにより、センサ内蔵液晶パネル３０１に画像が表示できない状態であると判定するようにすればよい。回路の異常を検知するための手法としては従来公知の手法を用いればよい。回路の異常を検知するためのパラメータとしては、例えば、電圧値および電流値などを挙げることができる。
【００５０】
なお、主制御部８３０において異常が生じている表示装置を特定するために、異常検知信号には、いずれの表示装置において異常が生じているかを示す信号を含めるようにすればよい。
【００５１】
もちろん、回路の異常を検知する以外の手法により異常を検知するようにしてもよい。例えば、異常検知部９００は、各部における温度が所定時間以上、所定の温度以上となった場合に、センサ内蔵液晶パネル３０１に画像が表示できない状態であると判定するようにしてもよい。また、照度計を用いてバックライトの照度を測定し、その測定結果に基づいてセンサ内蔵液晶パネル３０１に画像が表示できない状態であると判定するようにしてもよい。さらに、異常検知部９００から各部に対して一定時間毎に応答信号を出力し、当該応答信号に対する各部の応答の有無から、各部において異常が生じているか否かを判定するようにしてもよい。
【００５２】
また、異常検知部９００はユーザーからの入力に基づいて異常を検知するようにしてもよい。これは、センサ内蔵液晶パネル３０１が物理的に損傷するなどして画像の表示ができなくなる場合に有効である。この場合、ユーザーは携帯電話１００に備えられたボタンを押下するようにすればよい。表示装置２００ａまたは２００ｂは、当該ボタンが押下されたことをトリガとして、自身に異常が生じていることを示す所定の信号を異常検知部９００に対して出力する。異常検知部９００は、当該所定の信号の入力を受けて、主制御部８３０に対して表示装置２００ａまたは２００ｂに異常が生じていることを示す異常検知信号を出力する。
【００５３】
異常検知部９００において異常検知に用いる手法は、１つに限定されるものではなく、上述した検知手法を含めた様々な手法を適宜組み合わせて異常を検知するようにしてもよい。
【００５４】
また、図１では、１つの異常検知部９００において表示装置２００ａおよび表示装置２００ｂの異常を検知するような構成を図示しているが、もちろんこれに限定されるものではない。表示装置２００ａと表示装置２００ｂとのそれぞれに異常を検知するための異常検知部９００が設けられていてもよい。
【００５５】
（主制御部８３０における表示モードの切り替え）
続いて、主制御部８３０における表示モードの切り替えについて以下に説明する。
【００５６】
「通常表示モード」では、主制御部８３０は、表示装置２００ａのセンサ内蔵液晶パネル３０１に表示する画像を表す表示データは、表示装置２００ａのデータ処理部７３０に対して出力し、表示装置２００ｂのセンサ内蔵液晶パネル３０１に表示する画像を表す表示データは、表示装置２００ｂのデータ処理部７３０に対して出力する。すなわち、通常表示モードでは、表示装置２００ａに表示すべき画像は表示装置２００ａに表示し、表示装置２００ｂに表示すべき画像は表示装置２００ｂに表示される。
【００５７】
一方、「異常表示モード」では、異常検知信号により示される表示装置のセンサ内蔵液晶パネル３０１に表示すべき画像を表す表示データを、他の表示装置のセンサ内蔵液晶パネル３０１に表示する。図１を参照してより具体的に説明すると、表示装置２００ａのセンサ内蔵液晶パネル３０１に画像表示ができないことを示す異常検知信号を受けた主制御部８３０は、表示装置２００ａのセンサ内蔵液晶パネル３０１に表示する画像を表す表示データと、表示装置２００ｂのセンサ内蔵液晶パネル３０１に表示する画像を表す表示データとから新たな表示データを生成する。そして、生成した表示データを表示装置２００ｂのデータ処理部７３０に対して出力する。すなわち、表示装置２００ｂのセンサ内蔵液晶パネル３０１には、表示装置２００ａのセンサ内蔵液晶パネル３０１に表示されるべき画像と、表示装置２００ｂのセンサ内蔵液晶パネル３０１に表示される元々の画像とが表示されることになる。
【００５８】
このように、主制御部８３０における通常表示モードから異常表示モードへの切り替えは、異常検知部９００から出力される異常検知信号を受けることによって行われる。異常検知信号は、いずれの表示装置において画像の表示ができなくなっているのかを示す信号を含むため、主制御部８３０は、異常検知信号に含まれる表示装置を示す信号から画像の表示ができなくなっている表示装置を特定することができる。
【００５９】
なお、表示装置ごとそれぞれに異常検知部９００が設けられている場合には、主制御部８３０は、どの表示装置に対応した異常検知部９００からの信号であるのかを判別して画像を表示できない表示装置を特定するようにしてもよい。
【００６０】
なお、主制御部８３０が通常モードへの切り替え信号を受け付けた場合には、異常表示モードから通常表示モードへの切り替えが行われる。異常表示モードから通常表示モードへの切替信号は、ユーザーからの入力に基づいて主制御部８３０に入力されるようにすればよい。すなわち、ユーザーが所定のボタンを押下することにより、表示モード切替部（図示しない）から主制御部８３０に対して、異常表示モードから通常表示モードへの切替信号が出力されるようにすればよい。また、異常表示モードから通常表示モードへの切替信号は、外部装置から入力されてもよい。これは、例えば携帯電話１００の修理業者が、表示装置を修理した後に、通常表示モードで画像を表示できるようにする場合に好適である。
【００６１】
（異常表示モード時における表示形態）
次に、異常表示モード時における表示装置２００ａおよび２００ｂにおける画像の表示例について、図２（ａ）〜（ｃ）を参照しつつ以下に説明する。なお、本項では、表示装置２００ａには文字（または数字）を入力するためのキーボード（ソフトウェアキーボード）が表示されており、表示装置２００ｂには画像（壁紙）が表示されている場合を例に挙げて説明する。
【００６２】
図２（ａ）〜（ｃ）は、携帯電話１００における画像の表示例を示す図であり、（ａ）は通常表示モードでの画像表示例であり、（ｂ）は異常表示モードでの画像表示例であり、（ｃ）は異常表示モードでの別の画像表示例である。
【００６３】
主制御部８３０が通常表示モードで画像を表示する場合には、図２（ａ）に示すように、キーボードの画像を表示装置２００ａに表示し、壁紙を表示装置２００ｂに表示する。なお、表示装置２００ａに表示されているキーボードでは、ユーザーがタッチした座標に該当する文字（数字）が入力されるべき文字（数字）として選択される。
【００６４】
次に、同様の画像を異常表示モードで表示する場合について図２（ｂ）および（ｃ）を参照して説明する。
【００６５】
図２（ｂ）は、通常表示モードで表示装置２００ａに表示されるキーボードと表示装置２００ｂに表示される壁紙とを表示装置２００ｂにおいて同一画面に表示する場合を示す図である。この場合、主制御部８３０は、表示装置２００ｂのセンサ内蔵液晶パネル３０１のピクセルサイズに基づいて、表示装置２００ａに示していたキーボードの画像のピクセルサイズおよび表示装置２００ｂに表示する壁紙のピクセルサイズを設定する。すなわち、主制御部８３０は、キーボードの画像のピクセルサイズと壁紙のピクセルサイズとを合算したピクセルサイズが表示装置２００ｂのセンサ内蔵液晶パネル３０１のピクセルサイズ以下となるように各画像のピクセルサイズを設定する。
【００６６】
表示装置２００ｂのセンサ内蔵液晶パネル３０１に壁紙とキーボードとを同一画面の表示する場合には、各画像を並べて表示するＰｂｙＰ（ピクチャバイピクチャ）としてもよいし、いずれかを主画像（ピクセルサイズが大きい画像）とし、いずれかを副画像（ピクセルサイズが小さい画像）とするＰｉｎＰ（ピクチャインピクチャ）としてもよい。ＰｉｎＰとする場合、どちらを主画像とし、どちらを副画像とするかはユーザーにより適宜切り替えられるようにすることが好ましい。また、ＰｂｙＰとする場合には、各画像の向きを９０度回転させた状態で各画像を並べて表示するようにしてもよい。
【００６７】
なお、図２（ｂ）では、表示装置２００ａに何も表示されていないことをわかりやすくするために、画像が表示されていないことを示すマークを図示しているが、実際にはこのようなマークは表示されない。
【００６８】
また、表示装置２００ｂに表示されているキーボードであっても、ユーザーがタッチした座標に該当する文字（数字）が入力されるべき文字（数字）として選択される。すなわち、表示装置２００ａに表示する場合と同様にキーボードを扱うことができる。
【００６９】
図２（ｂ）に示すように、各画像のピクセルサイズを変更することにより表示装置２００ｂのセンサ内蔵液晶パネル３０１にキーボードと壁紙とを同時に表示する場合には、各画像が縮小されることになるため、表示装置２００ｂのセンサ内蔵液晶パネル３０１のピクセルサイズによっては、キーボードの文字をタッチ（選択）し難くなることもある。
【００７０】
そこで、図２（ｃ）に示すように、各画像のピクセルサイズを変更することなく画像を表示するようにしてもよい。この場合、主制御部８３０は、表示装置２００ａに表示していたキーボードと表示装置２００ｂに表示する壁紙とを含む表示データを各画像のピクセルサイズを変更することなく生成する。主制御部８３０は、表示装置２００ｂのセンサ内蔵液晶パネル３０１のピクセルサイズと新たに作成した表示データにより表される画像のピクセルサイズとの差に応じて、スクロールバーを表示する。すなわち、図２（ｃ）に示すスクロールバーを下方向にスクロールすることにより、キーボードの画像が表示装置２００ｂに表示される。
【００７１】
なお、図２（ｂ）と同様に、図２（ｃ）でも表示装置２００ａに何も表示されていないことをわかりやすくするために、画像が表示されていないことを示すマークを図示しているが、実際にはこのようなマークは表示されない。
【００７２】
また、スクロールバーのスクロールによりキーボードを表示させた場合であっても、ユーザーがタッチした座標に該当する文字（数字）が入力されるべき文字（数字）として選択される。すなわち、表示装置２００ａに表示する場合と同様にキーボードを扱うことができる。
【００７３】
異常表示モードにおける画像の表示形態としては、図２（ｂ）および（ｃ）に示すような表示形態に限定されるものではない。例えば、表示装置２００ｂにタブを表示し、表示したタブを選択することにより、表示装置２００ｂに表示される画像を適宜切り替えるようにしてもよい。
【００７４】
また、図２（ｂ）では、異常表示モードで画像を表示する場合、通常表示モードで表示していたキーボードを縮小して表示しているが、異常表示モードと通常表示モードとで表示する画像を変更するようにしてもよい。
【００７５】
すなわち、記憶部９１１におけるデータおよびプログラムには、主制御部８３０の表示モードが異常表示モードに切り替わった場合に表示するデータおよびプログラムが予め記録されている。そして、主制御部８３０の表示モードが異常表示モードに切り替わった場合、主制御部８３０は、記憶部９１１に記憶されている異常表示モード用のデータおよびプログラムを読み出して実行する。
【００７６】
例えば、通常表示モードではキーボードとしてＱＷＥＲＴＹ配列のキーボードを表示している場合、ＱＷＥＲＴＹ配列のキーボードをサイズを縮小して表示すると、非常に使い勝手が悪くなってしまう。そのため、記憶部９１１に予めテンキータイプのキーボードのプログラムおよびデータを用意しておき、異常表示モードでキーボードを表示する場合には、テンキータイプのキーボードを表示するようにする。テンキータイプのキーボードを用いて文字を入力する場合には、携帯電話において文字を入力する場合と同様に、キーをタップした回数に応じて入力候補となる文字が変化するようにすればよい。
【００７７】
もちろん、通常表示モードにおいてもユーザーの任意でＱＷＥＲＴＹ配列のキーボードとテンキータイプのキーボードとを選択できるようにしてもよい。
【００７８】
（液晶パネル）
本実施形態では、表示装置２００ａおよび表示装置２００ｂの液晶パネルがいずれも光センサ内蔵液晶パネルである場合を例に挙げて説明しているが、もちろんこれに限定されるものではない。表示装置２００ａおよび表示装置２００ｂの液晶パネルは、光センサを内蔵していない液晶パネルであってもよい。
【００７９】
また、表示装置２００ａおよび表示装置２００ｂのいずれか一方の液晶パネルが光センサ内蔵液晶パネルであって、他方が光センサを内蔵していない液晶パネルであってもよい。
【００８０】
また、表示装置の数は３つであり、うち２つの表示装置に光センサ内蔵液晶パネルを備えている場合であって、光センサ内蔵液晶パネルのうちの一方が画像を表示できなくなった場合、主制御部８３０は、画像を表示できなくなった表示装置に表示すべき画像を、残りの２つの表示装置のうち、光センサ内蔵液晶パネルを備えた表示装置の画像と共に表示するようにすることが好ましい。これによって、通常表示モードにおいて操作していたのと同様に、ユーザーはタッチパネル機能を用いて操作入力を行うことができる。
【００８１】
（画像表示装置１００の利点）
以上説明したように、画像表示装置１００では、表示装置２００ａにおいて画像の表示ができなくなったとき、画像の表示ができなくなった表示装置２００ａに表示すべき画像を表示装置２００ｂに表示するように画像表示処理が実行される。
【００８２】
したがって、ユーザーは、画像を表示できなくなった表示装置２００ａに表示される画像を表示装置２００ｂにおいて確認することができる。これによって、ユーザーが表示されている画像を確認することができなくなることにより、画像表示装置１００の使用に支障が生じる可能性を低減することができる。
【００８３】
また、異常検知部９００は、表示装置２００ａから所定の信号を受信した場合に、表示装置２００ａにおいて画像が表示できないことを示す異常検知信号を出力する。主制御部８３０は、異常検知部９００から出力される異常検知信号を受け付けることにより、画像の出力先となる表示装置を表示装置２００ａから表示装置２００ｂに切り替える。
【００８４】
したがって、画像表示装置１００では、表示装置２００ａに画像が表示できなくなった場合であっても、ユーザーに対して特別な操作を強いることなく、表示できなくなった画像を他の表示部に表示させることができる。
【００８５】
（変形例）
上述した携帯電話１００では、１つの主制御部８３０が表示装置２００ａおよび表示装置２００ｂそれぞれの画像表示を制御しているが、表示装置２００ａおよび表示装置２００ｂそれぞれに主制御部を備えている構成としてもよい。
【００８６】
（変形例の構成）
本変形例では、表示装置それぞれに主制御部が備えられている携帯電話について、図３を参照しつつ以下に説明する。図３は、携帯電話１００の変形例である携帯電話１００ｂの要部構成を示すブロック図である。
【００８７】
図３に示すように、携帯電話１００ｂは、表示装置２００ｃ、表示装置２００ｄ、異常検知部９００を備えている。
【００８８】
表示装置２００ｃは、図３に示すように、表示／光センサ部３３０ａ、回路制御部６３０ａ、データ処理部７３０ａ、主制御部８３０ａ、記憶部９１１ａ、一次記憶部９１２ａを備えている。また、表示装置２００ｄは、図３に示すように、表示／光センサ部３３０ｂ、回路制御部６３０ｂ、データ処理部７３０ｂ、主制御部８３０ｂ、記憶部９１１ｂ、一次記憶部９１２ｂを備えている。
【００８９】
表示／光センサ部３３０ａ、３３０ｂ、回路制御部６３０ａ、６３０ｂ、データ処理部７３０ａ、７３０ｂ、主制御部８３０ａ、８３０ｂ、記憶部９１１ａ、９１１ｂ、および一次記憶部９１２ａ、９１２ｂは、それぞれ、上述した表示／光センサ部３３０、回路制御部６３０、データ処理部７３０、主制御部８３０、記憶部９１１、および一次記憶部９１２と同様であるため、詳細な説明については省略する。
【００９０】
（変形例における異常表示モードへの切り替え）
続いて、携帯電話１００ｂの主制御部８３０ｂの表示モードの切り替え処理について説明する。
【００９１】
異常検知部９００が表示装置２００ｃの異常を検知すると、異常検知部９００は表示装置２００ｄの主制御部８３０ｂに対して異常検知信号を出力する。このとき、表示装置２００ｃの主制御部８３０ａは動作を停止するように指示を受けるようにすることが好ましい。
【００９２】
異常検知信号を受けた主制御部８３０ｂは、表示モードが通常表示モードから異常表示モードへと切り替わる。異常表示モードに切り替わった主制御部８３０ｂは、記憶部９１１ａから表示装置２００ｃの表示／光センサ部３３０ａに備えられた光センサ内蔵液晶パネル３０１に表示すべき画像の表示データを読み出す。そして、読み出した表示データと記憶部９１１ｂから表示装置２００ｄの表示／光センサ部３３０ｂに備えられた光センサ内蔵液晶パネル３０１に表示していた画像の表示データとから新たな表示データを生成し、生成した表示データにより表される画像を表示装置２００ｄの表示／光センサ部３３０ｂに備えられた光センサ内蔵液晶パネル３０１に表示する。
【００９３】
このように、表示装置２００ｄに備えられた主制御部８３０ｂの表示モードが異常表示モードに切り替えられた場合、表示装置２００ｄに対する画像の表示には、表示装置２００ｃに備えられた主制御部８３０ａは使用しない。したがって、表示装置それぞれに主制御部が備えられている場合には、例え、主制御部８３０が故障（ハングアップ）することにより表示装置２００ｃに画像を表示できなくなった場合であっても、携帯電話１００ｂが使用できなくなってしまうことを防止することができる。
【００９４】
なお、上記の処理は、表示装置２００ｃにおいて異常が検知された場合を例に挙げて説明しているが、逆もまた然りである。
【００９５】
また、携帯電話１００ｂにおける表示装置２００ｃおよび表示装置２００ｄは、携帯電話１００における表示装置２００ａおよび表示装置２００ｂと同様に、光センサを内蔵していない液晶パネルを用いた表示装置であってもよい。
【００９６】
（表示装置における各部の詳細）
ここで、本実施形態における表示装置２００ａ、２００ｂ、２００ｃおよび２００ｄにおける各部の詳細について、図４を参照しつつ以下に説明する。なお、本実施形態では、表示装置２００ａを例に挙げて説明するが、表示装置２００ｂ、２００ｃおよび２００ｄにおいても同様であることはいうまでもない。
【００９７】
（表示／光センサ部３３０）
まず、表示／光センサ部３３０の各部材について説明する。
【００９８】
センサ内蔵液晶パネル３０１は、マトリクス状に配置された複数の画素回路３１および光センサ回路３２を含んで構成される。センサ内蔵液晶パネル３０１の詳細な構成については後述する。
【００９９】
周辺回路３０９は、液晶パネル駆動回路３０４、光センサ駆動回路３０５、信号変換回路３０６、バックライト駆動回路３０８を含む。
【０１００】
液晶パネル駆動回路３０４は、回路制御部６３０の液晶パネル制御部６０１からのタイミング制御信号（ＴＣ１）およびデータ信号（Ｄ）に従って、制御信号（Ｇ）およびデータ信号（Ｓ）を出力し、画素回路３１を駆動する回路である。画素回路３１の駆動方法の詳細については後述する。
【０１０１】
光センサ駆動回路３０５は、回路制御部６３０のセンサ制御部６０２からのタイミング制御信号（ＴＣ２）に従って、信号線（Ｒ）に電圧を印加し、光センサ回路３２を駆動する回路である。光センサ回路３２の駆動方法の詳細については後述する。
【０１０２】
信号変換回路３０６は、光センサ回路３２から出力されるセンサ出力信号（ＳＳ）をデジタル信号（ＤＳ）に変換し、該変換後の信号をセンサ制御部６０２に送信する回路である。
【０１０３】
バックライト３０７は、複数の白色ＬＥＤ（Light Emitting Diode）を含んでおり、センサ内蔵液晶パネル３０１の背面に配置される。そして、バックライト駆動回路３０８から電源電圧が印加されると、バックライト３０７は点灯し、センサ内蔵液晶パネル３０１に光を照射する。なお、バックライト３０７は、白色ＬＥＤに限らず、他の色のＬＥＤを含んでいてもよい。また、バックライト３０７は、ＬＥＤに代えて、例えば、冷陰極管（ＣＣＦＬ：Cold Cathode Fluorescent Lamp）を含むものであってもよい。
【０１０４】
バックライト駆動回路３０８は、回路制御部６３０のバックライト制御部６０３からの制御信号（ＢＫ）がハイレベルであるときは、バックライト３０７に電源電圧を印加し、逆に、バックライト制御部６０３からの制御信号がローレベルであるときは、バックライト３０７に電源電圧を印加しない。なお、バックライト３０７を点灯させることにより表示部の明るさを調整する以外にも、調光電圧によりバックライト３０７を調光することによって、表示部の明るさ（表示画面の輝度）を調整するようにしてもよい。
【０１０５】
（回路制御部６３０）
次に、回路制御部６３０について説明する。回路制御部６３０は、液晶パネル制御部６０１、センサ制御部６０２、バックライト制御部６０３、および表示データ記憶部６０４を備えている。
【０１０６】
液晶パネル制御部６０１は、データ処理部７３０の表示データ処理部７０１から表示データを受信するとともに、表示データ処理部７０１からの指示に従って、表示／光センサ部３３０の液晶パネル駆動回路３０４に、タイミング制御信号（ＴＣ１）およびデータ信号（Ｄ）を送信し、上記受信した表示データをセンサ内蔵液晶パネル３０１に表示させる。
【０１０７】
なお、液晶パネル制御部６０１は、表示データ処理部７０１から受信した表示データを、表示データ記憶部６０４に一次記憶させる。そして、当該一次記憶させた表示データに基づいて、データ信号（Ｄ）を生成する。表示データ記憶部６０４は、例えば、ＶＲＡＭ（video random access memory）などである。
【０１０８】
センサ制御部６０２は、データ処理部７３０のセンサデータ処理部７０３からの指示に従って、表示／光センサ部３３０の光センサ駆動回路３０５に、タイミング制御信号（ＴＣ２）を送信し、センサ内蔵液晶パネル３０１にてスキャンを実行させる。
【０１０９】
また、センサ制御部６０２は、信号変換回路３０６からデジタル信号（ＤＳ）を受信する。そして、センサ内蔵液晶パネル３０１に含まれる全ての光センサ回路３２から出力されたセンサ出力信号（ＳＳ）に対応するデジタル信号（ＤＳ）に基づいて、画像データを生成する。つまり、センサ内蔵液晶パネル３０１の読み取り領域全体で読み取った画像データを生成する。そして、該生成した画像データをセンサデータ処理部７０３に送信する。
【０１１０】
バックライト制御部６０３は、表示データ処理部７０１およびセンサデータ処理部７０３からの指示に従って、表示／光センサ部３３０のバックライト駆動回路３０８に制御信号（ＢＫ）を送信し、バックライト３０７を駆動させる。
【０１１１】
（データ処理部７３０）
次に、データ処理部７３０について説明する。データ処理部７３０は、表示データ処理部７０１およびセンサデータ処理部７０３を備えている。
【０１１２】
表示データ処理部７０１は、主制御部８３０から表示データを受信するとともに、液晶パネル制御部６０１およびバックライト制御部６０３に指示を与え、上記受信した表示データをセンサ内蔵液晶パネル３０１に表示させる。
【０１１３】
センサデータ処理部７０３は、データ処理部７３０が受信したサブ表示装置内コマンドに従って、センサ制御部６０２およびバックライト制御部６０３に指示を与える。
【０１１４】
また、センサデータ処理部７０３は、センサ制御部６０２から画像データを受信し、当該画像データをそのまま画像データバッファ７０４に格納する。そして、センサデータ処理部７０３は、データ処理部７３０が受信したサブ表示装置内コマンドに従って、画像データバッファ７０４に記憶されている画像データに基づいて、「全体画像データ」、「部分画像データ（部分画像の座標データを含む）」、および「座標データ」の少なくともいずれか１つを、主制御部８３０に送信する。
【０１１５】
（センサ内蔵液晶パネルの概要）
続いて、携帯電話１００、１００ｂの備えるセンサ内蔵液晶パネル３０１について以下に説明する。
【０１１６】
センサ内蔵液晶パネル３０１は、データの表示に加え、近傍の対象物の画像検出が可能な液晶パネルである。ここで、対象物の画像検出とは、例えば、ユーザーが指やペンなどでポインティング（タッチ）した位置の検出や、印刷物等の画像の読み取り（スキャン）である。なお、表示に用いるデバイスは、液晶パネルに限定されるものではなく、有機ＥＬ（Electro Luminescence）パネルなどであってもよい。
【０１１７】
図５を参照しながら、センサ内蔵液晶パネル３０１の構造について説明する。図５は、センサ内蔵液晶パネル３０１の断面を模式的に示す図である。なお、ここで説明するセンサ内蔵液晶パネル３０１は一例であり、表示面と読取面とが共用されているものであれば、任意の構造のものが利用できる。
【０１１８】
図示のとおり、センサ内蔵液晶パネル３０１は、背面側に配置されるアクティブマトリクス基板５１Ａと、表面側に配置される対向基板５１Ｂとを備え、これら基板の間に液晶層５２を挟持した構造を有している。アクティブマトリクス基板５１Ａには、画素電極５６、データ信号線５７、光センサ回路３２（図示せず）、配向膜５８、偏光板５９などが設けられる。対向基板５１Ｂには、カラーフィルタ５３ｒ（赤）、５３ｇ（緑）、５３ｂ（青）、遮光膜５４、対向電極５５、配向膜５８、偏光板５９などが設けられる。また、センサ内蔵液晶パネル３０１の背面には、バックライト３０７が設けられている。
【０１１９】
なお、光センサ回路３２に含まれるフォトダイオード６は、青のカラーフィルタ５３ｂを設けた画素電極５６の近傍に設けられているが、この構成に限定されるものではない。赤のカラーフィルタ５３ｒを設けた画素電極５６の近傍に設けてもよいし、緑のカラーフィルタ５３ｇを設けた画素電極５６の近傍に設けてもよい。
【０１２０】
次に、図６（ａ）および（ｂ）を参照しながら、ユーザーが、指やペンで、センサ内蔵液晶パネル３０１上をタッチした場合を例に挙げ、そのタッチした位置を検出する２種類の方法について説明する。
【０１２１】
図６（ａ）は、反射像を検知することにより、ユーザーがタッチした位置を検出する様子を示す模式図である。バックライト３０７から光６３が出射されると、フォトダイオード６を含む光センサ回路３２は、指などの対象物６４により反射された光６３を検知する。これにより、対象物６４の反射像を検知することができる。このように、センサ内蔵液晶パネル３０１は、反射像を検知することにより、タッチした位置を検出することができる。
【０１２２】
また、図６（ｂ）は、影像を検知することにより、ユーザーがタッチした位置を検出する様子を示す模式図である。図６（ｂ）に示すように、フォトダイオード６を含む光センサ回路３２は、対向基板５１Ｂなどを透過した外光６１を検知する。しかしながら、ペンなどの対象物６２がある場合は、外光６１の入射が妨げられるので、光センサ回路３２が検知する光量が減る。これにより、対象物６２の影像を検知することができる。このように、センサ内蔵液晶パネル３０１は、影像を検知することにより、タッチした位置を検出することもできる。
【０１２３】
上述のように、フォトダイオード６は、バックライト３０７より出射された光の反射光（影像）を検知してもよいし、外光による影像を検知してもよい。また、上記２種類の検知方法を併用して、影像と反射像とを両方を同時に検知するようにしてもよい。
【０１２４】
（センサ内蔵液晶パネルの構成）
次に、図７を参照しながら、センサ付きサブ表示装置２３０が備えるセンサ内蔵液晶パネル３０１の構成、および、センサ内蔵液晶パネル３０１の周辺回路３０９の構成について説明する。図７は、表示／光センサ部３３０の要部、特に、センサ内蔵液晶パネル３０１の構成および周辺回路３０９の構成を示すブロック図である。
【０１２５】
センサ内蔵液晶パネル３０１は、光透過率（輝度）を設定するための画素回路３１、および、自身が受光した光の強度に応じた電圧を出力する光センサ回路３２を備えている。なお、画素回路３１は、赤色、緑色、青色のカラーフィルタのそれぞれに対応するＲ画素回路３１ｒ、Ｇ画素回路３１ｇ、Ｂ画素回路３１ｂの総称として用いる。
【０１２６】
画素回路３１は、センサ内蔵液晶パネル３０１上の列方向にｍ個、行方向に３ｎ個配置される。そして、Ｒ画素回路３１ｒ、Ｇ画素回路３１ｇ、およびＢ画素回路３１ｂの組が、行方向に連続して配置される。この組が１つの画素を形成する。
【０１２７】
画素回路３１の光透過率を設定するには、まず、画素回路３１に含まれるＴＦＴ（Thin Film Transistor）３３のゲート端子に接続される走査信号線Ｇiにハイレベル電圧（ＴＦＴ３３をオン状態にする電圧）を印加する。その後、Ｒ画素回路３１ｒのＴＦＴ３３のソース端子に接続されているデータ信号線ＳＲｊに、所定の電圧を印加する。同様に、Ｇ画素回路３１ｇおよびＢ画素回路３１ｂについても、光透過率を設定する。そして、これらの光透過率を設定することにより、センサ内蔵液晶パネル３０１上に画像が表示される。
【０１２８】
次に、光センサ回路３２は、一画素毎に配置される。なお、Ｒ画素回路３１ｒ、Ｇ画素回路３１ｇ、およびＢ画素回路３１ｂのそれぞれの近傍に１つずつ配置されてもよい。
【０１２９】
光センサ回路３２にて光の強度に応じた電圧を出力させるためには、まず、コンデンサ３５の一方の電極に接続されているセンサ読み出し線ＲＷiと、フォトダイオード６のアノード端子に接続されているセンサリセット線ＲＳiとに所定の電圧を印加する。この状態において、フォトダイオード６に光が入射されると、入射した光量に応じた電流がフォトダイオード６に流れる。そして、当該電流に応じて、コンデンサ３５の他方の電極とフォトダイオード６のカソード端子との接続点（以下、接続ノードＶ）の電圧が低下する。そして、センサプリアンプ３７のドレイン端子に接続される電圧印加線ＳＤｊに電源電圧ＶＤＤを印加すると、接続ノードＶの電圧は増幅され、センサプリアンプ３７のソース端子からセンシングデータ出力線ＳＰｊに出力される。そして、当該出力された電圧に基づいて、光センサ回路３２が受光した光量を算出することができる。
【０１３０】
次に、センサ内蔵液晶パネル３０１の周辺回路である、液晶パネル駆動回路３０４、光センサ駆動回路３０５、およびセンサ出力アンプ４４について説明する。
【０１３１】
液晶パネル駆動回路３０４は、画素回路３１を駆動するための回路であり、走査信号線駆動回路３０４１およびデータ信号線駆動回路３０４２を含んでいる。
【０１３２】
走査信号線駆動回路３０４１は、液晶パネル制御部６０１から受信したタイミング制御信号ＴＣ１に基づいて、１ライン時間毎に、走査信号線Ｇ１〜Ｇｍの中から１本の走査信号線を順次選択し、該選択した走査信号線にハイレベル電圧を印加するとともに、その他の走査信号線にローレベル電圧を印加する。
【０１３３】
データ信号線駆動回路３０４２は、液晶パネル制御部６０１から受信した表示データＤ（ＤＲ、ＤＧ、およびＤＢ）に基づいて、１ライン時間毎に、１行分の表示データに対応する所定の電圧を、データ信号線ＳＲ１〜ＳＲｎ、ＳＧ１〜ＳＧｎ、ＳＢ１〜ＳＢｎに印加する（線順次方式）。なお、データ信号線駆動回路３０４２は、点順次方式で駆動するものであってもよい。
【０１３４】
光センサ駆動回路３０５は、光センサ回路３２を駆動するための回路である。光センサ駆動回路３０５は、センサ制御部６０２から受信したタイミング制御信号ＴＣ２に基づいて、センサ読み出し信号線ＲＷ１〜ＲＷｍの中から、１ライン時間毎に１本ずつ選択したセンサ読み出し信号線に所定の読み出し用電圧を印加するとともに、その他のセンサ読み出し信号線には、所定の読み出し用電圧以外の電圧を印加する。また、同様に、タイミング制御信号ＴＣ２に基づいて、センサリセット信号線ＲＳ１〜ＲＳｍの中から、１ライン時間毎に１本ずつ選択したセンサリセット信号線に所定のリセット用電圧を印加するとともに、その他のセンサリセット信号線には、所定のリセット用電圧以外の電圧を印加する。
【０１３５】
センシングデータ出力信号線ＳＰ１〜ＳＰｎはｐ個（ｐは１以上ｎ以下の整数）のグループにまとめられ、各グループに属するセンシングデータ出力信号線は、時分割で順次オン状態になるスイッチ４７を介して、センサ出力アンプ４４に接続される。センサ出力アンプ４４は、スイッチ４７により接続されたセンシングデータ出力信号線のグループからの電圧を増幅し、センサ出力信号ＳＳ（ＳＳ１〜ＳＳｐ）として、信号変換回路３０６へ出力する。
【０１３６】
（プログラムおよび記録媒体）
携帯電話１００に含まれる主制御部８３０は、ハードウェアロジックによって構成すればよい。または、次のように、ＣＰＵ（Central Processing Unit）を用いてソフトウェアによって実現してもよい。
【０１３７】
すなわち、主制御部８３０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１３８】
そして、本発明の目的は、主制御部８３０のプログラムメモリに固定的に担持されている場合に限らず、上記プログラムのプログラムコード（実行形式プログラム、中間コードプログラム、または、ソースプログラム）を記録した記録媒体を光ディスク携帯電話１００に供給し、携帯電話１００が上記記録媒体に記録されている上記プログラムコードを読み出して実行することによっても、達成可能である。
【０１３９】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１４０】
また、主制御部８３０（または携帯電話１００）を通信ネットワークと接続可能に構成しても、本発明の目的を達成できる。この場合、上記のプログラムコードを、通信ネットワークを介して主制御部８３０に供給する。この通信ネットワークは主制御部８３０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１４１】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。なお、携帯電話１００ｂに含まれる主制御部８３０ａ、８３０ｂについても同様である。
【０１４２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４３】
本発明に係る情報表示装置は、複数画面を有する情報表示装置全般に好適に利用することができる。このような情報表示装置としては、例えば、携帯電話、ＰＤＡ、携帯型ゲーム機、携帯型音楽プレイヤ、モバイルコンピュータなどを挙げることができる。
【符号の説明】
【０１４４】
１００      携帯電話（画像表示装置）
１００ｂ    携帯電話（画像表示装置）
２００ａ    表示装置（表示部）
２００ｂ    表示装置（表示部）
２００ｃ    表示装置（表示部）
２００ｄ    表示装置（表示部）
３３０      表示／光センサ部
６３０      回路制御部
７３０      データ処理部
８３０      主制御部（画像データ表示手段）
８３０ａ    主制御部（第１の画像データ表示手段）
８３０ｂ    主制御部（第２の画像データ表示手段）
９００      異常検知部（異常検知手段）
９１１      記憶部
９１２      一次記憶部
【図１】
2010230909.tif 000003
【図２】
2010230909.tif 000004
【図３】
2010230909.tif 000005
【図４】
2010230909.tif 000006
【図５】
2010230909.tif 000007
【図６】
2010230909.tif 000008
【図７】
2010230909.tif 000009